(57)【要約】【課題】電池錠の無駄な電力消費を極力抑えることができること。【解決手段】少なくとも携帯機又は情報管理装置のいずれかと、建物のドアに配置され電池を電源として電気的に作動する電池錠と、この電池錠及び前記携帯機又は情報管理装置のいずれか間に介在する中継制御装置から成る電気錠管理システムであり、電池錠は中継制御装置から電磁波エネルギーを有する電波を得ることにより電池から電力を得ることなく電磁誘導の起電力により起動する受信手段と、該受信手段から起動信号を取得すると、モード切換え手段により休止モードから起動モードに切り換って前記電池から給電を受ける制御手段及び送信手段を備え、制御手段は前記中継制御装置を介して外部から送信されてきた解錠信号の適否を判定処理し、当該解錠信号が正しければ、ドアロック手段に対して解錠駆動信号を出力するように制御する電気錠管理システム。【選択図】図１
2015014120.tif 000002
【特許請求の範囲】
【請求項１】
少なくとも携帯機又は情報管理装置のいずれかと、建物のドアに配置され電池を電源として電気的に作動する電池錠と、この電池錠及び前記携帯機又は情報管理装置のいずれか間に介在する中継制御装置から成る電気錠管理システムであり、前記電池錠は、前記中継制御装置から電磁波エネルギーを有する電波を得ることにより前記電池から電力を得ることなく電磁誘導の起電力により起動する受信手段と、該受信手段から起動信号を取得すると、モード切換え手段により休止モードから起動モードに切り換って前記電池から給電を受ける制御手段及び送信手段を備え、前記制御手段は前記中継制御装置を介して外部から送信されてきた解錠信号の適否を判定処理し、当該解錠信号が正しければ、ドアロック手段に対して解錠駆動信号を出力するように制御することを特徴とする電気錠管理システム。
【請求項２】
請求項１に於いて、中継制御装置は、電池錠とは別個の電源又は電源用のプラグかのいずれかを有することを特徴とする電気錠管理システム。
【請求項３】
請求項１に於いて、中継制御装置が直接又は情報管理装置が中継制御装置を介して間接的に解錠信号を送信することを特徴とする電気錠管理システム。
【請求項４】
請求項１に於いて、携帯機はカード状の物、携帯電話型の物のいずれかであることを特徴とする電気錠管理システム。
【請求項５】
請求項１に於いて、携帯機は携帯電子キーであり、筺体としての扁平状摘み部と、該扁平状摘み部の中にその基端部が固定的に支持されたブレード部分とから成ることを特徴とする電気錠管理システム。
【請求項６】
請求項１に於いて、送信手段は制御手段の制御に基づいて中継制御装置に対して、少なくとも動作結果信号又は制御手段が解錠信号を取得する前にスタンバイＯＫの信号のいずれかを送信すると、前記制御手段のモード切換え手段は、起動モードから休止モードに切り換えることを特徴とする電気錠管理システム。
【請求項７】
請求項１に於いて、無線信号は、命令を運ぶ低い周波数帯域と、ＩＤデータを運ぶ高い周波数帯域に区別されていることを特徴とする電気錠装置。
【発明の詳細な説明】
【技術分野】
【０００１】
本発明は、主に建具の出入り口で利用される電気錠管理システムに関する。
【背景技術】
【０００２】
特許文献１の発明の課題は、携帯機の電池の寿命を延ばすことで、その具体的な構成は、外部からのリクエスト信号に応答して該携帯機毎に個別に設定されたＩＤコードを含む信号を送信する携帯機２において、記リクエスト信号を受信する受信手段１０と、前記ＩＤコードを含む信号を送信する送信手段３０と、該携帯機２の電源としての電池４０とを備え、前記受信手段１０は、前記リクエスト信号の受信に伴って該リクエスト信号から電磁波エネルギーを得ることにより前記電池４０から電力を得ることなく起動される一方、前記送信手段３０は、前記電池４０から電力を得ることにより前記ＩＤコードを含む信号を送信することである（符号は特許文献１のもの）。この特許文献１の携帯機２は、自動車の自動解錠機能を有する電子キーシステムとして利用されているが、建物の出入り口に配設される電気錠装置ではない。
【０００３】
これに対して、特許文献２は、車両や建物の出入り口に配設されるドア錠などを施・解錠する電気錠装置である。この特許文献２の発明の課題は、ノイズの受信に起因する作動を抑制して電力消費量を低減させることができることで（段落００１３）、この課題を解決するために、請求項１に記載の発明では、所定の周波数帯域の電波を受信する受信手段と、その電波が携帯機から送信された無線信号であると判断したことを条件として錠を施解錠させる制御手段とを備える施解錠制御装置において、前記受信手段を所定の周期で間欠的に作動させる間欠作動手段を備え、前記受信手段は、作動状態で前記電波を受信したときに前記制御手段に対して起動信号を出力し、前記制御手段は、起動モードと、その起動モードよりも消費電力量が少ない休止モードとを有し、前記起動信号が入力されたときには前記休止モードから前記起動モードに切り換わって前記受信した電波が前記携帯機から送信された無線信号であるか否かを判定する判定処理を行うとともに、前記起動モードに切り換わった回数をカウントする計数処理と、前記電波が前記携帯機から送信された無線信号であると判定したことを条件としてカウント数をクリアする計数クリア処理と、前記カウント数が所定回数に達したときに、その後の前記間欠作動手段による受信手段の間欠作動を禁止する作動禁止処理を行うことを要旨とする（段落００１４）。
【０００４】
この特許文献の施・解錠制御装置２１は、錠箱内にバッテリ２５を内蔵し（段落００３３）、その受信回路２３の電子端子はタイマー回路２６を介して前記バッテリ２５に接続されている（段落００３５）。付言すると、受信回路２３はタイマー回路２６を介して前記バッテリ２５から給電を受ける（段落００３６）。
【０００５】
また送信回路を制御するマイコン２４も上記バッテリ２５から給電を受ける（段落００３８）。そして、この特許文献２の「消費電力を抑える」という特徴事項は段落００３８に記載されている（符号は特許文献２のもの）。
【０００６】
しかしながら、特許文献２には、建具用ドアに設けた電池錠の電池の寿命を長くする、電池錠に対する外部装置の間で配線工事をなくする等の目的のために、携帯機１１と施・解錠制御装置２１との間に「中継制御装置」を配設する事項は記載されていない。
【先行技術文献】
【特許文献】
【０００７】
【特許文献１】特開２００５−２２６２５４号
【特許文献２】特開２００４−１０７９０６号
【発明の概要】
【発明が解決しようとする課題】
【０００８】
本願発明の主な課題は、電池錠の無駄な電力消費を極力抑えることができることである。次に本願発明の課題は、建築工事の進捗状況如何を問わず、電気錠のシステム工事に着手することができることである。さらに、本願発明の課題は中継制御装置を介して電池錠の施・解錠状態を管理することを可能とする電気錠管理システムを提供することである。
【課題を解決するための手段】
【０００９】
本発明の電気錠管理システムは、少なくとも携帯機又は情報管理装置のいずれかと、建物のドアに配置され電池を電源として電気的に作動する電池錠と、この電池錠及び前記携帯機又は情報管理装置のいずれか間に介在する中継制御装置から成る電気錠管理システムであり、前記電池錠は、前記中継制御装置から電磁波エネルギーを有する電波を得ることにより前記電池から電力を得ることなく電磁誘導の起電力により起動する受信手段と、該受信手段から起動信号を取得すると、モード切換え手段により休止モードから起動モードに切り換って前記電池から給電を受ける制御手段及び送信手段を備え、前記制御手段は前記中継制御装置を介して外部から送信されてきた解錠信号の適否を判断し、当該解錠信号が正しければ、ドアロック手段に対して解錠駆動信号を出力するように制御することを特徴とする。
【００１０】
上記構成に於いて、中継制御装置は電池錠とは別個の電源又は電源用のプラグかのいずれかを有することを特徴とする。また、中継制御装置又は情報管理装置のいずれが認証手段を有し、中継制御装置が直接又は情報管理装置が中継制御装置を介して間接的に解錠信号を送信することを特徴とする。また、携帯機はカード状の物、携帯電話型の物のいずれかであることを特徴とする。また携帯機は携帯電子キーであり、筺体としての扁平状摘み部と、該扁平状摘み部の中にその基端部が固定的に支持されたブレード部分とから成ることを特徴とする。さらに、送信手段は制御手段の制御に基づいて中継制御装置に対して動作結果信号又は制御手段が解錠信号を取得する前にスタンバイＯＫの信号のいずれかを送信すると、前記制御手段のモード切換え手段は、起動モードから休止モードに切り換えることを特徴とする。さらに無線信号は、命令を運ぶ低い周波数帯域と、ＩＤデータを運ぶ高い周波数帯域に区別されていることを特徴とする。
【００１１】
ここで「携帯機」とは、固有のＩＤデータを保持するカード状の物、携帯電話型の物のみならず、スマートフォン、タブレット又はリーダライタと接続されているコンピュータも含む。また、ここで「情報管理装置」は、携帯機よりも上位のコンピュータで、実施形態如何によって、該携帯機と共に、又は携帯機とは別個に本発明のシステムを構成し得るものである。
【００１２】
さらにここで「電池錠」とは、電気的に動作する又は制御される錠前において、その駆動電源が有線で外部からの電力供給を受けるものではなく、乾電池やリチウム電池等の電源を備えているものをいう。付言すると、電池錠は、電気錠のシステム工事の際、商業用交流電源と接続するための配線等が不要である反面、電源の電気が切れたときは、電池の交換又は充電等により電気を供給しなくてはなら欠点がある。
【発明の効果】
【００１３】
（ａ）請求項１に記載の発明は、電池錠の無駄な電力消費を極力抑えることができるので、電池の寿命を延ばすことができる。また、電池錠と中継制御装置を介して電波（電磁波）を利用した双方向通信をするので、ドアを建物の出入り口に取り付ける「建築工事」と、電池錠をドアに取付ける、いわゆる「電気錠のシステム工事」とを分離することができるので、前記建築工事の進捗状況如何を問わず、電気錠のシステム工事に着手することができる。付言すると、電気錠のシステム工事の中に「電池錠」なる概念を導入したので、配線工事が不要である。その結果、電気錠のシステム工事を非常に楽にかつ迅速に行うことができる。
（ｂ）請求項２に記載の発明は、電池錠の制御手段に中継制御装置の一部の機能（携帯機や情報管理装置との信号処理）を持たせる必要がなく、中継制御装置は電池錠とは別個の電池又は商業用交流電源のいずれかでもって携帯機や情報管理装置との信号処理を実行するので、電池錠の無駄な電力消費を極力抑えることができる。したがって、電池の寿命を延ばすことができる。
（ｃ）請求項３に記載の発明、認証手段を少なくとも中継制御装置又は情報管理装置のいずれに持たせることにより、システムの信頼性を確保することができる。
（ｄ）請求項４に記載の発明は、携帯機はカード状の物、携帯電話型の物のいずれかであっても、本発明のシステムを利用することができる。
（ｅ）請求項５に記載の発明は、電気的のみならず、機械的にも電池錠を解錠することができる。
（ｆ）請求項６に記載の発明は、解錠するまでの間、極力、電池錠の無駄な電力消費を極力抑えることができる。
（ｇ）請求項７に記載の発明は、ＩＤデータを送信する際に、高い周波数帯域の電波（ＶＨＦ）を利用するので、電波がダイレクトに流れ、その結果、信頼性・確実性を得ることができる。
【図面の簡単な説明】
【００１４】
図１乃至図５は本発明の第１実施形態を示す各説明図。図６は本発明の第２実施形態を示す説明図。
【図１】本発明の電気錠管理システムの構成を示すブロック図。
【図２】電池錠と中継制御装置の無線通信を示す概略説明図。
【図３】中継制御装置と携帯機の無線通信を示す概略説明図。
【図４】要部（電池錠）の構成を示すブロック図。
【図５】電気錠管理システムの処理の流れを示した説明図（起動信号と解錠信号が同時の場合）。
【図６】第２実施形態を示す図１と同様のブロック図。
【図７】電気錠管理システムの処理の流れを示した説明図（起動信号と解錠信号が異時の場合）。
【発明を実施するための最良の形態】
【００１５】
図１乃至図５は本発明の電気錠管理システムを示す。この電気錠管理システム（１）は、電池錠Ｘと中継制御装置Ｙと携帯機Ｚの３つ構成要素を備えている。電池錠Ｘの外観構成、内蔵する駆動部材、作動部材等は図２で示すとおりである。すなわち、２は錠箱、３は台座、４は台座にその軸部が回転自在に装着されたハンドル、６は電源としての電池、１１は前記電池により駆動する駆動モータ、１２は駆動モータの出力軸、１３は駆動モータ１１とデッドボルト１４の間に配設され、前記駆動モータ１１の駆動力をデッドボルト１４に伝達する動力伝達歯車、１５はシリンダである。なお、図２の電気錠Ｘの外観構成等は説明の便宜上減速機構、クラッチ機構等の事項は割愛してある。
【００１６】
図１の「電池錠Ｘ」は、本発明に必要な特定事項を概略的に示したものである。電池錠Ｘは、建物のドア１６の開閉端部に設けられるものである。電池錠Ｘは、図１のブロック図で示すように錠箱２に電源（電池）６を内蔵し、待受け状態の受信手段２１ａ、前記電源６によって作動する制御手段２０、該制御手段２０と同様に前記電源６によって作動する送信手段２１ｂ及び前記電源６によって作動するドアロック手段２２を備えている。制御手段２０はモード切換え手段２０ａを有する。
【００１７】
しかして、信号を復調する機能等を有する受信手段２１ａと、信号を電波に変調する機能等を有すると送信回路２１ｂは、図１及び図４で示すように、電池６を消費するか否かで区分けされている。
【００１８】
すなわち、前記受信回路２１ａは中継制御装置Ｙから送信されてくる電波の電磁誘導の元種となるバースト信号を利用するので、電池６からの給電を一切受けないで電力を賄うのに対して、前記送信回路２１ｂは、制御手段２０が前記受信手段２１ａから起動信号を受け取り、電力を消費しない休止モードから電力を消費する起動モードに切り換った後に該制御手段２０と共に起動する。
【００１９】
電池錠２の受信回路２１ａは、後述する携帯機の一例としての携帯電子キーＺと同様なので、簡単に説明するが、図４で示すように該受信回路２１は、電磁エネルギーを有する電波を受信する受信アンテナ（ａ）、コンデンサ（ｂ）及びＩＣ（ｃ）を有する。そして、待ち受け状態の受信回路２１ａは、中継制御装置Ｙから、少なくとも起動信号（この実施形態では起動信号と共に暗号化された解錠信号）を受信すると、前記ＩＣ（ｃ）は受信回路２１ａのコンデンサ（ｂ）から給電を受けながら起動信号の適否を判断する。起動信号の適否は電圧の差を利用する（例えば特開２０１０−１４４３４４号の記載されているように「目標電圧以上か否か」の判断）。それ故に、受信回路２１ａは受信機能、自己発電機能、充電機能及び少なくとも起動信号が正しいか否かの適否を判断する機能を有する。
【００２０】
前述したように、受信回路２１ａから適否を経た起動信号（トリガー信号）を貰った制御手段２０は、モード切換え手段２０ａを介して休止モードから電力を消費する起動モードに切り換わるので、自己の電池６を目当てにして電池６から給電を受ける。そして、制御手段２０は、その起動中に、そり処理態様如何を問わず、最終的に判定部２０ｂが受信回路２１ａから貰った解錠信号を判定処理すると、ドアロック手段２２に対して解錠駆動信号を制御する。なお、電池６から制御手段２０、送信回路２１ｂ及びドアロック手段に対する給電経路は仮想線で示したとおりである。
【００２１】
ところで、この実施形態に於いて、電池錠２の電池６をより一層消費しないことを目的として、電池錠２の制御手段２０は送信回路２１ｂに、例えば解錠した結果に基づく動作結果信号を出力するように制御した後、直ちにモード切換え手段２０ａにより、電力を消費する起動モードから電池６の電力を消費しない休止モードに切り換える。このような形態の場合には、制御手段２０は受信回路２１ａから起動信号又は暗号化された解錠信号を受けた後に休止モードから起動モードに再び復活して前記電池６から給電を受け、最終的にドアロック手段２２を解錠することになる。
【００２２】
特に図示しないが、制御手段２０は、例えばそれ自体クロック機能を有し、必要に応じて、そのメモリの中に施錠状態か否か、解錠信号の待受け状態か否か等の錠の状態情報、電池錠の識別情報（錠前固有コード）、当該電池錠に関連付けられた携帯機Ｚの識別情報（携帯機固有コード）、中継制御装置Ｙに関する情報（中継固有コード）、電池錠を解錠するために必要な情報（解錠信号と同じ設定情報）、その他中継制御装置Ｙと交信するために必用な情報等を適宜に有する。もちろん、前記携帯機Ｚの識別情報等が必要でない場合にはメモリの中に格納する必要はない。また制御手段２０は解錠信号を処理するための必要なプログラム又は電子回路を有する。
【００２３】
ところで、起動信号の発生は単純な電気回路の「ＯＮ」、「ＯＦＦ」を用いている。また電気錠の施錠制御は本発明の本質的事項ではないものの、例えば中継制御装置Ｙから施錠命令信号が来たとき、施錠操作信号が来たとき、所定時間内に施錠命令信号が来ないとき、情報が一致しなくなったとき等に適宜に実行される。
【００２４】
送信手段２１ｂは制御手段２０の指令に基づいて後述の中継制御装置Ｙに、解錠した旨の動作結果信号、又は実施形態如何によっては、前述したように起動信号のみ受信した場合には錠の状態情報を電波に乗せて送信する。また制御手段２０は、最終的には、前述したように、判定部で解錠信号であることを判定した場合には、ドアロック手段２２に対して解錠駆動信号を出力するように制御する。もちろん、電池錠は錠前であるから、例えば中継制御装置Ｙから施錠命令信号が来たときには、ドアロック手段２２に対して施錠駆動信号を出力するように制御する。
【００２５】
さて、本発明の電気錠装置（１）は、建物のドア１６に配置され電池６を電源として電気的に作動する電池錠Ｘと、望ましくは電池３０を電源として電気的に作動する携帯機Ｚと、前記電池錠Ｘと前記携帯機Ｚとの間で互いに無線信号で通信することができるように介在し、かつ前記ドア１６又はドアの付近の壁・床・天井・パネル・看板、スタンド等の物（物の一部も含む）に単数又は複数配置された中継制御装置Ｙとから成るので、次に携帯機Ｚについて説明する。
【００２６】
携帯機Ｚは、例えば携帯電子キーであり、該携帯電子キーＺは建物の居住者、従業員等の所持者が占有するもので、該携帯機としての携帯電子キーＺは電池錠Ｘのシリンダ１５を電気的にも機械的にも解錠することができる。図３は実施形態の携帯機Ｚの外観構成を示すもので、この携帯機Ｚは、筺体としての扁平状摘み部２５と、該扁平状摘み部２５の中にその基端部が固定的に支持されたブレード部分２６とから成る。
【００２７】
図１に示す左側が携帯機Ｚのブロック図である。この携帯機Ｚのブロック図は本発明の特徴事項を要約して示したものである。つまり、携帯機Ｚは待ち受け状態の受信機能２７及びＩＤデータ送信機能２８を有している。具体的構成は、例えば特許文献１に記載の携帯機（電磁波エネルギーを利用するもの）と同様である。
【００２８】
したがって、携帯機Ｚは、図示しない判断手段（ＩＣ）を有する待ち受け状態の受信手段２７と、ＩＤデータ送信手段２８を構成するマイコン（マイクロコンピュータ）及び送信回路と、前記ＩＤデータ送信手段用の電源としての電池３０を備えている。実施形態の待ち受け状態の受信手段２７は、中継制御装置Ｙから送信されてくるリクエスト信号を乗せた低い帯域の電波（ＬＦ）を受信するためのもので、特に図示しないが判断手段（ＩＣ）を備えている。該待ち受け状態の受信手段２７は、電磁波エネルギーにより電力を賄う受信回路と、該受信回路が起動した後に「リクエスト信号か否か」を判断する判断手段（ＩＣ）とから成る。なお、受信アンテナ、コンデンサ等を有する受信回路の具体的構成については、当業者にとって自明事項なので、図示および詳細な説明を割愛する。
【００２９】
一方、ＩＤデータ送信手段２８はＣＰＵ、ＲＯＭ、ＲＡＭ等からなるＣＰＵユニットであり、メモリを備えている。このメモリには、携帯機毎に個別に設定されたＩＤコードが記憶されている。そして、マイコンは、待ち受け状態の受信手段２７から上述の判断手段（ＩＣ）を介してリクエスト信号を受け取ると、該リクエスト信号に応答するためにＩＤコードを送信回路に出力する。送信回路は、その出力信号を所定周波数の電波に変調して送信する。電池３０はリクエスト信号に応答してＩＤコードを含む信号を送信するための電源である。
【００３０】
上記構成の携帯機Ｚは、待ち受け状態の受信手段２７を介してクエスト信号を取得すると、判断手段（ＩＣ）を経た後、そのＩＤデータ送信手段２８は外部にＩＤデータ信号を高い帯域の周波数（ＶＨＦ）の電波に乗せてダイレクトに送信する。なお、実施形態の無線信号は、例えば命令を運ぶ低い周波数帯域（ＬＦ）と、電池錠に関するデータを運ぶ高い周波数帯域（ＶＨＦ）に区別されている。
【００３１】
中継制御装置Ｙは、建物のドア１６の外壁面・内部又はドア付近の壁、パネル、スタンド等のいずれか又は全部に取り付けられるもので、その外観形状は円形又は角形のいずれかの薄型ケースユニットである。実施形態では、管理・運搬性・利便性・電源に配慮して、薄型ケースユニット３０の適宜個所から差し込みプラグ３１を有する所要長さのコード３２が延在している。中継制御装置Ｙは前記差し込みプラグ３１を図示しないコンセントに差し込むと商業用交流電源を利用して作動することができる。
【００３２】
本発明の電気錠管理システム（１）は、電池錠Ｘと携帯機Ｚとの間に中継制御装置Ｙを介在させた点に特徴があり、該中継制御装置Ｙと電池錠Ｘは双方向通信が可能に構成され、また該中継制御装置Ｙと携帯機Ｘも双方向通信が可能に構成されている。中継制御装置Ｙの中継送受信手段３３は、その筺体の中に直接又は別個の筺体を介して間接的にＩＤ認証手段３４を備えている。
【００３３】
しかして、中継送受信手段３３は、特に図示しないが、受信回路、送信回路、携帯機の識別情報（携帯固有コード）、電池錠の識別情報（錠固有コード）、解錠情報等の必要な情報をメモリに格納したマイコン（中継制御部）を備え、プラグ３１及びコード３２を介して商業用交流電源により作動する。
【００３４】
中継制御装置Ｙの図示しない前記マイコン（中継制御部）は、送信回路に携帯機Ｚに対してリクエスト信号を出力するように制御する。送信回路から送信するリクエスト信号は幅広の領域に流れるように低い周波数帯域の電波（ＬＦ）を利用している。
【００３５】
ところで、送信回路は、マイコンからのリクエスト信号を所定周波数の電波に変調して送信アンテナを介して送信するためのものであるが、受信回路は携帯機Ｚとの関係では、携帯機から送信されてくるＩＤコード信号を受信するためのもので、該受信回路は前記ＩＤコード信号を受信すると、その信号を復調して受信信号を生成し、その受信信号をマイコンに出力する。中継制御装置Ｙと携帯機Ｘの双方向通信についても、低い周波数帯域（ＬＦ）と高い周波数帯域（ＶＨＦ）に区別されている。
【００３６】
また受信回路は電池錠Ｘから発せられた動作結果信号又は実施形態によってはスタンバイである旨の信号（錠の状態信号）を乗せた高い周波数帯域の電波（ＶＨＦ）を受信する。中継制御装置Ｙは受信回路を介して前記動作結果信号又は錠の状態信号を受信すると、その中継制御部は動作結果信号又は錠の状態信号であるか否かを判断する。
【００３７】
また認証手段３４は、上位の情報管理装置が存在する場合には必ずしも必要ではないが、該認証手段３４は、例えば中継送受信手段３３が携帯機Ｚから取得したＩＤコード信号がマイコンのメモリに登録した情報と一致するか否かを判断する。そして、前記登録情報とＩＤコード信号が一致したならば、少なくとも起動信号を出力する。
【００３８】
そこで、マイコンを構成要素とする中継送受信手段３３は、少なくとも起動信号（実施形態では起動信号に重ねて解錠信号も同時に又はタイミングを見計らって異時に）を外部に送信する。前記起動信号は、例えば低い周波数帯域（ＬＦ）に乗って幅広い領域に流れる。前述したように電池錠Ｘの制御手段２０は、最終的に解錠信号を取得すると、ドアロック手段２２に対して解錠駆動信号を出力するように制御する。その結果、電池錠Ｘのデッドボルト１４は錠箱２内に後退する。
【００３９】
図５は、電気錠管理システム（１）の処理の流れの一例を簡単に示したものである。この図５では電池錠を「Ｘ」、中継制御装置を「Ｙ」、携帯機を「Ｚ」と簡略して示してある。
【００４０】
Ｓ１は中継制御装置Ｙから携帯機Ｚにクリエスト信号を送信した段階である。Ｓ２は携帯機Ｚから中継制御装置ＹにＩＤデータを送信した段階である（携帯機の呼応）。Ｓ３は中継制御装置Ｙから、例えば電池錠Ｘに起動信号と解錠信号を同時に送信した段階である。Ｓ４は電気錠の処理を示すもので、受信手段２１ａが電磁誘導により起動し、その後、制御手段２０が最終的に解錠信号の適否を判断した上で電池錠を解錠状態にする段階である。Ｓ５は電池錠の送信手段２１ｂが動作結果信号を外部に送信する段階である。
【００４１】
そして、Ｓ６は、送信手段２１ｂが制御手段２０の制御に基づいて中継制御装置Ｙに対して解錠した結果の動作結果信号、又は最初に起動信号のみ取得した実施形態如何によっては、次に解錠信号を受けることができるスタンバイＯＫの信号のいずれかを送信した後に、直ちに制御手段のモード切換え手段２０ａが起動モードから休止モードに切り換える（給電停止）段階である。
【実施例】
【００４２】
次に、図６を参照にして、本発明の第２実施形態を説明する。なお、第２実施形態の説明に当って、第１実施形態と同一の部分には同一又は同様の符号を付して重複する説明を割愛する。
【００４３】
この第２実施形態の電気錠管理システム（１Ａ）が第１実施形態の電気錠管理システム（１）と主に異なる点は、（ａ）必ずしも構成要件ではない携帯機Ｚに代えて、上位の情報管理装置Ｚ１が有線方式４０又は無線方式のいずれかによって中継制御装置Ｙと情報の通信が可能である点、（ｂ）中継制御装置Ｙは認証手段を有しても良いが、中継制御装置Ｙは必ずしも認証手段を構成要件としない点、（ｃ）上位の情報管理装置Ｚ１は電池錠Ｘの施・解錠状態を監視する点、すなわち、情報管理装置が中継制御装置Ｙに対して、例えば解錠信号を送信し、中継制御装置Ｙは解錠信号を取得すると、起動信号及び解錠信号を電池錠Ｘに送信する点、であるから、情報管理装置Ｚ１は電池錠Ｘから中継制御装置Ｙを介して、錠の状態信号、動作結果信号等を取得する点、（ｄ）少なくとも有線方式又は無線方式のいずれかによって施・解錠に関する要求信号を取得した場合、又はタイマー回路４８が作動した場合に於いて、施・解錠に関する指令信号を中継制御装置Ｙに送信する点である。
【００４４】
まず図６を参照にして情報管理装置Ｚ１の各部を説明する。なお、本発明の情報管理装置Ｚ１の各部の詳細な構成は、発明を限定するための特定要件ではないので、簡単に説明する。
【００４５】
４１は通信部で、この通信部４１は中継制御装置Ｙと施・解錠に関する指令信号、電池錠Ｘの動作結果信号等の情報通信を行う。４２は制御部で、この制御部４２は通信部４１、記憶部４３、識別情報読出部４４、判定部４５、表示部４６等を制御する。前記記憶部４３は電池錠の固有コード、ドアの識別コード、中継制御装置Ｙの識別コード、携帯機Ｘの固有のコード等を格納している。もちろん、前記電池錠の固有コードとドアの識別コードは関連付けられている。また中継制御装置Ｙの識別コードと電池錠の固有コードも関連付けられている。その他各コードは適宜に紐付けされている。
【００４６】
また前記識別情報読出部４４は通信部４１が外部から携帯機Ｘや中継制御装置Ｙから固有のコードと共に、例えば解錠要求信号を取得したときには、記憶部４３から前記固有のコードに対応する情報を読み出す。前記判定部４５は識別情報読出部４４が読み出した情報と通信部４１に送られてきた前記固有のコード（例えば携帯機ＸのＳＩＭカードの固有番号、電池錠の製造番号、ドアの識別コード、中継制御装置Ｙの識別コードなど）を照合し、少なくとも２以上の固有のコードが同一であれば、認証が成功したと判定し、判定結果を制御部４２に出力する。
【００４７】
表示部（タッチパネルも含む）４６は制御部４２に制御された情報を表示画面に表示する。入力部４７はキー、音声、無線、ＲＦＩＤタグの属性情報等を入力する。タイマー回路４８はトリガーの機能を有し、例えばＡＭ７時など、特定の時間になると、制御部４２に解錠信号を、通信部４１を介して中継制御装置Ｙに送信させるようにする（例えば学校の門扉に電池錠が設置されている場合）。
【００４８】
以上のように第２実施形態では、上位の情報管理装置Ｚ１が下位の中継制御装置Ｙに対して、例えば解錠信号を送信すると共に、電池錠Ｘの施・解錠状態を監視する。
ところで、本発明の各実施形態の基本的な段階を要約すると、第１段階では中継制御装置Ｙから直接的に電池錠Ｘに「解錠信号」を送信する（第１実施形態）、又は上位の情報管理装置Ｚ１から中継制御装置Ｙを介して間接的に電池錠Ｘに「解錠信号」を送信する（第２実施形態）するが、この第１段階では、（イ）まず「起動信号（電磁誘導の元種となるバースト信号）」のみを送信する場合と、（ロ）前記起動信号に暗号化された「解錠信号」を重畳させたものを送信する場合がある。
【００４９】
次に第２段階では、電池錠Ｘが中継制御装置Ｙから起動信号を取得すると、その受信手段２１ａは起動信号がノイズか、それとも正しいか否かを判断する。この第２段階では、電池錠Ｘは自己の電池６を全く使用しない。そして、前記第１段階が前記（イ）の態様の場合には、適否の判定後に「肯定」であれば起動信号を制御手段２１に出力し、一方、前記第１段階が前記（ロ）の態様の場合には、受信手段２１ａが解錠信号の適否を判断するのではなく、解錠信号の適否は制御手段２１が判定処理するので、起動信号及び解錠信号の両方の信号を制御手段２１に出力する。
【００５０】
次に第３段階では、第１段階が前記（イ）の態様の場合には、起動信号が正しいことを条件として制御手段２１及び送信手段２１ｂは電池６から給電を受けるので、解錠信号を受け取ることができる状態であることを中継制御装置Ｙに知らせるために、制御手段２１は例えばスタンバイＯＫの信号を送信手段２１ｂから出力するように制御する。この場合実施形態如何によっては、中継制御装置Ｙは電池錠Ｘの制御手段２１の起動するタイミングを見計らって、電磁誘導で暗号化された解錠信号を出すように構成しても良いし、又は中継制御装置Ｙは電池錠ＸからスタンバイＯＫの信号が来てから前記解錠信号を出すように構成しても良い。さらに第１段階が前記（イ）の態様の場合には、色々なプログラムや遅延回路を設計することが可能である。
【００５１】
例えば制御手段２１が起動したらランダムなチャレンジコードを生成して、該チャレンジコードを送信手段２１ｂから出力し、中継制御装置Ｙは電池錠Ｘから電波に乗ったチャレンジコードを受信したならば、当該チャレンジコードに対するレスポンスコードを生成し、電磁誘導でレスポンスコードを電池錠Ｘに送信するという具合である。このように中継制御装置Ｙと電池錠Ｘの情報の通信態様が当業者に容易である場合に於いて、本発明の本質的事項に影響を与えない実施形態は、本発明の射程距離の範囲内である。
【００５２】
最終段階では、制御手段２０は解錠信号の適否について判定処理をし、解錠信号が正しければドアロック手段２２を電池６の電力を利用して電池錠Ｘを解錠するが、望ましい形態として、送信手段２１ｂは制御手段２０の制御に基づいて中継制御装置Ｙに対して、少なくとも動作結果信号、又は制御手段２０が解錠信号を取得する前にスタンバイＯＫの信号のいずれかを送信すると、制御手段のモード切換え手段２０ａは、起動モードから休止モードに切り換える。
【００５３】
以上の説明を踏まえ、図７は起動信号と解錠信号が異時の場合における電気錠管理システムの処理の流れを示した説明図である。図５のシーケンス説明図と比較すれば明らかなように、図７は中継制御装置Ｙから電池錠Ｘに起動信号のみを送信し（Ｓ３）、電池錠Ｘが当該起動信号を正しいと判断した場合に制御手段２０に起動信号（トリガー信号）を与えるものである。
【００５４】
すなわち、制御手段２０は電池錠Ｘの受信手段２１ａから前記起動信号（トリガー信号）を受取ると、モード切換え手段２０ａにより目覚め、電池３０の電力を利用して送信手段２１ｂを制御し、「スタンバイＯＫ信号」を送信手段２１ｂから送信する（Ｓ５）。
そして、制御手段２０は電池錠Ｘに「スタンバイＯＫ信号」を送信するように送信手段２１ｂを制御した後、前記モード切換え手段２０ａにより再び休眠状態となっても良いし、そのまま目覚め状態でも良いが、いずれにせよ、中継制御装置Ｙは電池錠Ｘから、例えば「スタンバイＯＫ信号」を受取ると、該スタンバイＯＫ信号の適否を判断した後、或いは判断をせず、解錠信号を電池錠Ｘに送信する（Ｓ６）。電池錠Ｘは解錠信号を受信手段２１ａで取得すると、受信手段２１ａは該解錠信号を制御手段２０に与える。制御手段２０は判定部２０ｂで解錠信号の適否を判断し、「肯定」であればドアロック手段２２を解錠するように制御する（Ｓ７）。その余のステップ（Ｓ８、Ｓ９）は、図５に示した処理と同様である。なお、図７のＳ１乃至Ｓ９のステップの詳細は重複するので割愛する。
【産業上の利用可能性】
【００５５】
本発明は、建具及び錠前の技術分野で利用される。
【符号の説明】
【００５６】
１、１Ａ…電気錠システム、Ｘ…電池錠、Ｙ…中継制御装置、Ｚ…携帯機、Ｚ１…情報管理装置、２…錠箱、６…電池、２０…制御手段、２０ａ…モード切換え手段、２０ｂ…判定部、２１…送受信手段、２１ａ…受信手段、２１ｂ…送信手段、２２…ドアロック手段、２７…待ち受け状態の受信機能、２８…ＩＤデータ送信機能、３０…電池、３１…プラグ、３２…コード、３３…中継送受信手段、１４…デッドボルト、１５…シリンダ。
【図１】
2015014120.tif 000003
【図２】
2015014120.tif 000004
【図３】
2015014120.tif 000005
【図４】
2015014120.tif 000006
【図５】
2015014120.tif 000007
【図６】
2015014120.tif 000008
【図７】
2015014120.tif 000009